(57)【要約】【課題】環境保護を考慮した農業副産物のリサイクル方法及びリサイクル装置を提供する。【解決手段】農業副産物を所定の大きさに切断する工程と、切断した農業副産物にＥＭ菌を混合する工程と、ＥＭ菌が混合された農業副産物を透水板の上に配置し、ＥＭ菌に農業副産物を分解せしめる工程と、透水板の下部に形成された液肥蓄積部に蓄積された液肥または透水板の上に残存した堆肥のうちの少なくとも一方を採取する工程とを備える【選択図】　　図３
2004091238.tif 000002
【特許請求の範囲】
【請求項１】
農業副産物を所定の大きさに切断する工程と、
切断した農業副産物にＥＭ菌を混合する工程と、
ＥＭ菌が混合された農業副産物を透水板の上に配置し、ＥＭ菌に農業副産物を分解せしめる工程と、
透水板の下部に形成された液肥蓄積部に蓄積された液肥または透水板の上に残存した堆肥のうちの少なくとも一方を採取する工程とを備える
ことを特徴とする農業副産物リサイクル方法。
【請求項２】
前記農業副産物を所定の大きさに切断する工程と、前記切断した農業副産物にＥＭ菌を混合する工程とは、略同時に行う
ことを特徴とする請求項１に記載の農業副産物リサイクル方法。
【請求項３】
農業副産物を所定の大きさに切断する切断部と、
該切断部により切断された農業副産物にＥＭ菌を混合するＥＭ菌混合部と、
該ＥＭ菌混合部によりＥＭ菌が混合された農業副産物を配置する透水板と、
該透水板の下部に位置する液肥蓄積部とを備える
ことを特徴とする農業副産物リサイクル装置。
【請求項４】
前記切断部による農業副産物の切断と、前記ＥＭ菌混合部によるＥＭ菌の混合とは、略同時に行う
ことを特徴とする請求項３に記載の農業副産物リサイクル装置。
【発明の詳細な説明】
【０００１】
【発明の属する技術分野】
本発明は、農業副産物リサイクル方法及び農業副産物リサイクル装置に関する。詳しくは、微生物の分解能力を利用した農業副産物リサイクル方法及び農業副産物リサイクル装置に関する。
【０００２】
【従来の技術】
農作物を生産するには、大量の葉や茎などの不要物である農業副産物が発生する。これら農業副産物はそもそも植物であるために、いずれは分解して土に変わるのであるが、土に変わるまでには相当の長期間を要するので、従来は、これら農業副産物の処分方法として、民家から離れた山に捨てたり、畑に放置したりして腐らせたり、または焼却処分を行ったりしている。
【０００３】
【発明が解決しようとする課題】
しかしながら、農業副産物を民家から離れた山に捨てたり、畑に放置したりして腐らせると、周囲の立ち木等までも腐食してしまう恐れがあり、また腐らせることによって悪臭が発生するという不都合があり、焼却処分を行うと大量の二酸化炭素が発生するために、近年の環境問題を考慮すると好ましい処分方法ではないという不都合がある。
【０００４】
本発明は、上記の点に鑑みて創案されたものであって、環境保護を考慮した農業副産物のリサイクル方法を提供することを目的とするものである。
【０００５】
【課題を解決するための手段】
上記の目的を達成するために、本発明に係る農業副産物リサイクル方法では、農業副産物を所定の大きさに切断する工程と、切断した農業副産物にＥＭ菌を混合する工程と、ＥＭ菌が混合された農業副産物を透水板の上に配置し、ＥＭ菌に農業副産物を分解せしめる工程と、透水板の下部に形成された液肥蓄積部に蓄積された液肥または透水板の上に残存した堆肥のうちの少なくとも一方を採取する工程とを備える。
【０００６】
ここで、農業副産物を所定の大きさに切断することによって、自然界に存在する微生物の中から作物生産に有効な糸状菌、酵母、乳酸菌、放線菌、光合成旧菌などの５群（科）１０層８０種以上の微生物群を複合した液であるＥｆｆｅｃｔｉｖｅ　Ｍｉｃｒｏｏｒｇａｎｉｓｍｓ菌（以下、ＥＭ菌と言う）が効率良く農業副産物を分解することができる。
また、切断した農業副産物にＥＭ菌を混合することによって、農業副産物を短期間で分解することができる。
更に、ＥＭ菌が混合された農業副産物を透水板の上に配置し、ＥＭ菌に農業副産物を分解せしめることによって、農業副産物を分解して液肥及び堆肥を生成することができる。
また、透水板の下部に形成された液肥蓄積部に蓄積された液肥または透水板の上に残存した堆肥のうちの少なくとも一方を採取することによって、肥料分として再利用が可能である液肥もしくは堆肥を得ることができる。
【０００７】
また、上記の目的を達成するために、本発明に係る農業副産物リサイクル装置では、農業副産物を所定の大きさに切断する切断部と、該切断部により切断された農業副産物にＥＭ菌を混合するＥＭ菌混合部と、該ＥＭ菌混合部によりＥＭ菌が混合された農業副産物を配置する透水板と、該透水板の下部に位置する液肥蓄積部とを備える。
【０００８】
ここで、切断部によって、ＥＭ菌が効率良く分解することができる大きさに農業副産物を切断することができる。
また、ＥＭ菌混合部によって、農業副産物を短期間で分解するためのＥＭ菌を農業副産物に混合することができる。
また、液肥蓄積部によって、ＥＭ菌により液肥に分解された農業副産物を蓄積することが可能である。
【０００９】
【発明の実施の形態】
以下、本発明の実施の形態を図面を参照しながら説明し、本発明の理解に供する。
【００１０】
図１に本発明を適用した農業副産物リサイクル装置の一例を説明するための外観斜視図を示し、図２に本発明を適用した農業副産物リサイクル装置の一例を説明するための模式的な断面図を示し、図３に本発明を適用した農業副産物リサイクル装置の一例を説明するための模式的な部分的拡大断面図を示す。
本発明を適用した農業副産物リサイクル装置（以下、単に「リサイクル装置」と言う）１はカッティングマシン２、分解タンク３及び液肥タンク４とから成る。
ここで、カッティングマシンは、その上部にＥＭ菌タンク５が形成され、ＥＭ菌タンクの最下部には、図４で示す様に孔部６が設けられたスライド板７が形成され、このスライド板は後述するカッターと連動して図５中符号ａで示す方向に動作する様に構成されている。
また、カッティングマシンには、モーター８で駆動する第１のカッター９及び第２のカッター１０が形成され、第１のカッターは上述したＥＭ菌タンクの略真下に形成され、第２のカッターは投入口１１の略真下に形成されている。
【００１１】
また、分解タンクは、上述したカッティングマシンが分解タンクの上を移動できるようにその天面にレール１２が形成され、分解タンク内部には床面から所定高さの位置にスノコ１３が配置されることによりスノコの下部に液肥蓄積部１４が形成されると共にポンプ１５が形成されている。なお、図中符号１６は液肥蓄積部に農業副産物の切屑や堆肥の小片が入り込まない様に形成されたメッシュシートである。
【００１２】
更に、液肥タンクは分解タンクに形成されたポンプの吸引物を蓄積できるように形成されている。
【００１３】
上記のように構成されたリサイクル装置の使用方法は下記の通りである。即ち、本発明を適用した農業副産物リサイクル方法の一例は下記の通りである。
先ず、モーターを駆動させ、第１のカッター及び第２のカッターを図３中符号ｂで示す方向に回転させ、このカッターの回転に連動してスライド板が動作し、ＥＭ菌タンクに蓄積されたＥＭ菌を図３中符号ｃで示す様に第１のカッターの上に落下させる。
また、モーターを駆動すると略同時に農業副産物を投入口からカッティングマシンに投入し、図３中符号ｄで示す様に第２のカッターの上に落下させる。
第１のカッターの上に落下したＥＭ菌と第２のカッターの上に落下した農業副産物は、カッターの回転により２つのカッターの間を通過することとなり、農業副産物が細かくカットされると共に、カットされた農業副産物とＥＭ菌とが混合される。なお、２つのカッターの間を通過した農業副産物及びＥＭ菌は、図３中符号ｅで示す様にメッシュシートの上に落下し、ＥＭ菌が混合された農業副産物をメッシュシートの上に配置した状態となる。
【００１４】
ここで、上記したカッティングマシンの動作、即ち、農業副産物の投入を行うことによるＥＭ菌が混合された農業副産物をスノコの上に落下させる動作は、カッティングマシンが分解タンクの天面に設けられたレールの上を移動しながら連続的に行うことで、作業を効率的に行うことが可能である。
【００１５】
なお、上記した本発明を適用した農業副産物リサイクル方法の一例では、２つのカッターの間を農業副産物及びＥＭ菌を通過させ、農業副産物のカットとＥＭ菌の混合とを２つのカッターの間を通過する際に略同時に行って、ＥＭ菌を混合すると共にカットされた農業副産物をメッシュシートの上に配置しているが、カットした農業副産物にＥＭ菌を混合することが可能であれば、必ずしもＥＭ菌を混合した農業副産物をメッシュシートの上に配置しなくても良く、即ち、メッシュシートの上にカットした農業副産物を配置した後にＥＭ菌を混合しても構わない。但し、メッシュシートの上に農業副産物を配置した後にＥＭ菌を混合する場合と比較すると、メッシュシートの上に農業副産物を配置する前、即ち、２つのカッターの間を農業副産物及びＥＭ菌を通過させる過程において農業副産物のカットを行うと共にＥＭ菌を混合した方が農業副産物とＥＭ菌とを充分に混合することができ、ＥＭ菌による農業副産物の分解をより促進することが可能であるために、農業副産物のカットとＥＭ菌の混合とは略同時に行う方が好ましい。
【００１６】
次に、カッティングマシンを分解タンクから取り外して、分解タンクに外蓋用シートを被せて１〜２週間放置する。
ここで、分解タンクに外蓋用シートを被せるのは、分解タンク内への空気の進入を防ぎ、雑菌の進入を抑制するためであり、１〜２週間放置するのは、ＥＭ菌が農業副産物を分解して液肥及び堆肥を生成するのに１〜２週間程度必要であると共に、１〜２週間を超えてあまりに長期に放置を行うと空気中から雑菌が進入してしまうという不具合があるからである。
なお、長期間の放置をする等、液肥及び堆肥中に雑菌が進入した場合であっても、加熱用ヒーターで６０℃〜８０℃で殺菌することにより液肥及び堆肥の安心した使用が可能となる。
【００１７】
さて、メッシュシートの上に配置されたＥＭ菌が混合された農業副産物は、ＥＭ菌により分解され発酵して液肥及び堆肥となり、液肥はメッシュシート及びスノコを透水してスノコの下に形成された液肥蓄積部に蓄積される。また、農業副産物から液肥が除かれたメッシュシートの上の残存物は堆肥として使用することが可能である。
【００１８】
その後、液肥蓄積部に蓄積された液肥をポンプで吸引して液肥タンクに蓄積を行う。
【００１９】
本発明を適用した農業副産物リサイクル装置では、計り知れない労力を必要としていた農作物を生産するにあたって発生する農業副産物の処理を容易にすることができる。
また、農業副産物の分解後に得られる液肥及び堆肥は肥料として再利用することが可能であり、環境保全に貢献することが可能となるものである。
【００２０】
【発明の効果】
以上述べてきた如く、本発明の農業副産物リサイクル方法及び農業副産物リサイクル装置では、環境保護を考慮して農業副産物のリサイクルを行うことが可能である。
【図面の簡単な説明】
【図１】本発明を適用した農業副産物リサイクル装置の一例を説明するための外観斜視図である。
【図２】本発明を適用した農業副産物リサイクル装置の一例を説明するための模式的な断面図である。
【図３】本発明を適用した農業副産物リサイクル装置の一例を説明するための模式的な部分的拡大断面図である。
【図４】スライド板を説明するための模式図である。
【図５】スライド板の動作を説明するための斜視図である。
【符号の説明】
１　　リサイクル装置
２　　カッティングマシン
３　　分解タンク
４　　液肥タンク
５　　ＥＭ菌タンク
６　　孔部
７　　スライド板
８　　モーター
９　　第１のカッター
１０　　第２のカッター
１１　　投入口
１２　　レール
１３　　スノコ
１４　　液肥蓄積部
１５　　ポンプ
１６　　メッシュシート
【図１】
2004091238.tif 000003
【図２】
2004091238.tif 000004
【図３】
2004091238.tif 000005
【図４】
2004091238.tif 000006
【図５】
2004091238.tif 000007